(57)【要約】【課題】表示装置が置かれている空間の照明環境とは別に３次元映像を視聴する視聴者が感じる照明環境を制御できる照明制御装置等を提供する。【解決手段】左眼で視聴するための左眼フレーム画像および右眼で視聴するための右眼フレーム画像を切り換えて表示する表示装置３Ａと、左眼フィルタ４１および右眼フィルタ４２を有し、左眼フレーム画像および右眼フレーム画像の切り換え表示に対応させて、左眼フィルタおよび右眼フィルタのそれぞれの光透過性を切り換える眼鏡装置４Ａと、表示装置が置かれた空間を照明する光源２１と、表示装置または眼鏡装置の切り換え制御信号に基づいて、光源を制御する照明制御装置２０Ａとを備えた。【選択図】図１
2012164466.tif 000002
【特許請求の範囲】
【請求項１】
眼鏡装置によって視聴することができる表示装置が置かれた空間を照明する光源を制御する制御部を備えた照明制御装置であって、
前記表示装置は、左眼で視聴するための左眼フレーム画像および右眼で視聴するための右眼フレーム画像を切り換えて表示し、
前記眼鏡装置は、左眼フィルタおよび右眼フィルタを有し、前記左眼フレーム画像および前記右眼フレーム画像フレーム画像の切り換え表示に対応させて、前記左眼フィルタおよび前記右眼フィルタのそれぞれの光透過性を切り換え、
前記制御部は、前記表示装置または前記眼鏡装置の切り換え制御信号に基づいて、前記光源を制御する、照明制御装置。
【請求項２】
前記眼鏡装置は、前記左眼フィルタおよび前記右眼フィルタの光透過性を切り換える際に、前記左眼フィルタおよび前記右眼フィルタの双方の光透過性を同時に所定値よりも落とす暗期間が設けられている、請求項１に記載の照明制御装置。
【請求項３】
前記制御部は、前記暗期間中の少なくとも一部の期間には、前記光源を点灯またはより明るくするように制御する、請求項２に記載の照明制御装置。
【請求項４】
前記暗期間中の全期間に前記光源を点灯またはより明るくし且つ前記暗期間以外の全期間に前記光源を消灯またはより暗くする基準タイミングに対して、前記光源を点灯またはより明るくする期間を前記暗期間以外の期間側に所定量ずらすように調整する調整部を備えた、請求項３に記載の照明制御装置。
【請求項５】
前記制御部は、前記暗期間中の全期間において、前記光源を最高輝度で点灯するように制御する、請求項２に記載の照明制御装置。
【請求項６】
前記制御部は、前記暗期間の全期間、および前記暗期間の前後の前記暗期間以外の期間の一部の期間に亘って、前記光源を連続して点灯またはより明るくするように制御する、請求項２に記載の照明制御装置。
【請求項７】
前記制御部は、
前記暗期間中において、一部の期間に前記光源が点灯またはより明るく、他の一部の期間に前記光源が消灯またはより暗くなるように、
前記暗期間中以外の期間において、一部の期間に前記光源が点灯またはより明るく、他の一部の期間に前記光源が消灯またはより暗くなるように制御する、請求項２に記載の照明制御装置。
【請求項８】
請求項１〜７のいずれかに記載の照明制御装置と、前記光源とを備えた照明装置。
【請求項９】
左眼で視聴するための左眼フレーム画像および右眼で視聴するための右眼フレーム画像を切り換えて表示する表示装置と、
左眼フィルタおよび右眼フィルタを有し、前記左眼フレーム画像および前記右眼フレーム画像の切り換え表示に対応させて、前記左眼フィルタおよび前記右眼フィルタのそれぞれの光透過性を切り換える眼鏡装置と、
前記表示装置が置かれた空間を照明する光源と、
前記表示装置または前記眼鏡装置の切り換え制御信号に基づいて、前記光源を制御する照明制御装置とを備えた、立体映像システム。
【請求項１０】
左眼で視聴するための左眼フレーム画像および右眼で視聴するための右眼フレーム画像を切り換えて表示する表示装置の切り換え制御信号に基づいて、または、左眼フィルタおよび右眼フィルタを有し、前記左眼フレーム画像および前記右眼フレーム画像の切り換え表示に対応させて、前記左眼フィルタおよび前記右眼フィルタのそれぞれの光透過性を切り換える眼鏡装置の切り換え制御信号に基づいて、前記表示装置が置かれた空間を照明する光源を制御する照明制御ステップを備えた、照明制御方法。
【請求項１１】
請求項１０に記載の照明制御方法の、前記表示装置または前記眼鏡装置の切り換え制御信号に基づいて、前記光源を制御する前記照明制御ステップをコンピュータに実行させるプログラム。
【請求項１２】
請求項１１に記載のプログラムを記録した記録媒体であって、コンピュータにより処理可能な記録媒体。
【発明の詳細な説明】
【技術分野】
【０００１】
本発明は、３次元映像を視聴する環境で利用される照明制御装置、照明装置、立体映像システムおよび照明制御方法等に関する。
【背景技術】
【０００２】
近年の映像技術の発達により、視聴者に３次元的に知覚される映像（３次元映像）を提供するための映像システムが開発されてきている。
【０００３】
このような立体映像システムでは、多くの場合、表示装置は、左眼で視聴されるための左眼フレーム画像と、右眼で視聴されるための右眼フレーム画像とを表示する。また、これら左眼フレーム画像および右眼フレーム画像から表示装置に映し出される映像を立体的に知覚させる立体視補助動作を行う眼鏡装置を視聴者は着用する。眼鏡装置の立体視補助動作を通じて、視聴者は左眼フレーム画像を左眼で視聴し、右眼フレーム画像を右眼で視聴することとなる。この結果、視聴者は、表示装置が表示する映像を立体的に知覚することができる。
【０００４】
特許文献１には、眼鏡装置を用いて、表示装置が表示する映像を立体的に知覚させる立体映像システムにおいて、フリッカ（ちらつき）を低減する技術が開示されている。
【０００５】
図２０に、特許文献１のフリッカ防止装置を備えた眼鏡装置の構成配置図を示す。
【０００６】
特許文献１の眼鏡装置は、映像からの光量を調整する光学シャッタ１０２と視聴者の眼１００との間の空間を照らす光源１０４を備えている。
【０００７】
特許文献１の開示技術によれば、左眼フレーム画像が表示されている間（即ち、右眼用の光学シャッタ１０２が閉じられている間）、右眼１００と右眼用の光学シャッタ１０２との間の空間を照らす光源１０４が点灯する。また、右眼フレーム画像が表示されている間（即ち、左眼用の光学シャッタ１０３が閉じられている間）、左眼１０１と左眼用の光学シャッタ１０３との間の空間を照らす光源１０５が点灯する。
【０００８】
このようにして、特許文献１の開示技術は、光学シャッタと視聴者の眼との間の空間の光量変動を抑制し、フリッカ（ちらつき）を低減している。
【先行技術文献】
【特許文献】
【０００９】
【特許文献１】実開平５−２０４８０号公報
【発明の概要】
【発明が解決しようとする課題】
【００１０】
しかしながら、従来の立体映像システムにおいて、表示装置が置かれている空間の照明環境とは別に３次元映像を視聴する視聴者が感じる照明環境を制御することはできなかった。
【００１１】
一般に、映像が視聴される周囲環境は、映画館のように暗い方が好ましいことが知られている。表示装置が置かれた空間が暗くされることにより、視聴者の臨場感を増すことができる。さらに、周囲環境とのコントラストが高まるため、映像を表示する表示装置の表示部の輝度を低減させることが可能となる。このことは、表示装置の消費電力の抑制に貢献する。
【００１２】
本発明は、上記従来の課題を考慮して、表示装置が置かれている空間の照明環境とは別に３次元映像を視聴する視聴者が感じる照明環境を制御できる照明制御装置、照明装置、立体映像システムおよび照明制御方法等を提供することを目的とする。
【課題を解決するための手段】
【００１３】
上述した課題を解決するために、第１の本発明は、
眼鏡装置によって視聴することができる表示装置が置かれた空間を照明する光源を制御する制御部を備えた照明制御装置であって、
前記表示装置は、左眼で視聴するための左眼フレーム画像および右眼で視聴するための右眼フレーム画像を切り換えて表示し、
前記眼鏡装置は、左眼フィルタおよび右眼フィルタを有し、前記左眼フレーム画像および前記右眼フレーム画像フレーム画像の切り換え表示に対応させて、前記左眼フィルタおよび前記右眼フィルタのそれぞれの光透過性を切り換え、
前記制御部は、前記表示装置または前記眼鏡装置の切り換え制御信号に基づいて、前記光源を制御する、照明制御装置である。
【００１４】
また、第２の本発明は、
前記眼鏡装置は、前記左眼フィルタおよび前記右眼フィルタの光透過性を切り換える際に、前記左眼フィルタおよび前記右眼フィルタの双方の光透過性を同時に所定値よりも落とす暗期間が設けられている、第１の本発明の照明制御装置である。
【００１５】
また、第３の本発明は、
前記制御部は、前記暗期間中の少なくとも一部の期間には、前記光源を点灯またはより明るくするように制御する、第２の本発明の照明制御装置である。
【００１６】
また、第４の本発明は、
前記暗期間中の全期間に前記光源を点灯またはより明るくし且つ前記暗期間以外の全期間に前記光源を消灯またはより暗くする基準タイミングに対して、前記光源を点灯またはより明るくする期間を前記暗期間以外の期間側に所定量ずらすように調整する調整部を備えた、第３の本発明の照明制御装置である。
【００１７】
また、第５の本発明は、
前記制御部は、前記暗期間中の全期間において、前記光源を最高輝度で点灯するように制御する、第２の本発明の照明制御装置である。
【００１８】
また、第６の本発明は、
前記制御部は、前記暗期間の全期間、および前記暗期間の前後の前記暗期間以外の期間の一部の期間に亘って、前記光源を連続して点灯またはより明るくするように制御する、第２の本発明の照明制御装置である。
【００１９】
また、第７の本発明は、
前記制御部は、
前記暗期間中において、一部の期間に前記光源が点灯またはより明るく、他の一部の期間に前記光源が消灯またはより暗くなるように、
前記暗期間中以外の期間において、一部の期間に前記光源が点灯またはより明るく、他の一部の期間に前記光源が消灯またはより暗くなるように制御する、第２の本発明の照明制御装置である。
【００２０】
また、第８の本発明は、
第１〜第７のいずれかの本発明の照明制御装置と、前記光源とを備えた照明装置である。
【００２１】
また、第９の本発明は、
左眼で視聴するための左眼フレーム画像および右眼で視聴するための右眼フレーム画像を切り換えて表示する表示装置と、
左眼フィルタおよび右眼フィルタを有し、前記左眼フレーム画像および前記右眼フレーム画像の切り換え表示に対応させて、前記左眼フィルタおよび前記右眼フィルタのそれぞれの光透過性を切り換える眼鏡装置と、
前記表示装置が置かれた空間を照明する光源と、
前記表示装置または前記眼鏡装置の切り換え制御信号に基づいて、前記光源を制御する照明制御装置とを備えた、立体映像システムである。
【００２２】
また、第１０の本発明は、
左眼で視聴するための左眼フレーム画像および右眼で視聴するための右眼フレーム画像を切り換えて表示する表示装置の切り換え制御信号に基づいて、または、左眼フィルタおよび右眼フィルタを有し、前記左眼フレーム画像および前記右眼フレーム画像の切り換え表示に対応させて、前記左眼フィルタおよび前記右眼フィルタのそれぞれの光透過性を切り換える眼鏡装置の切り換え制御信号に基づいて、前記表示装置が置かれた空間を照明する光源を制御する照明制御ステップを備えた、照明制御方法である。
【００２３】
また、第１１の本発明は、
第１０の本発明の照明制御方法の、前記表示装置または前記眼鏡装置の切り換え制御信号に基づいて、前記光源を制御する前記照明制御ステップをコンピュータに実行させるプログラムである。
【００２４】
また、第１２の本発明は、
第１１の本発明のプログラムを記録した記録媒体であって、コンピュータにより処理可能な記録媒体である。
【発明の効果】
【００２５】
本発明により、表示装置が置かれている空間の照明環境とは別に３次元映像を視聴する視聴者が感じる照明環境を制御できる照明制御装置、照明装置、立体映像システムおよび照明制御方法等を提供できる。
【図面の簡単な説明】
【００２６】
【図１】本発明の実施の形態１の立体映像システムの概略構成図
【図２】本発明の実施の形態１の表示装置の機能ブロック構成図
【図３】本発明の実施の形態１の表示装置のハードウェア構成を概略的に示すブロック図
【図４】本発明の実施の形態１の照明装置の機能ブロック構成図
【図５】本発明の実施の形態１の照明装置のハードウェア構成を概略的に示すブロック図
【図６】本発明の実施の形態１の眼鏡装置の機能ブロック構成図
【図７】本発明の実施の形態１の眼鏡装置のハードウェア構成を概略的に示すブロック図
【図８】本発明の実施の形態１のリモートコントローラーの機能ブロック構成図
【図９】本発明の実施の形態１のリモートコントローラーのハードウェア構成を概略的に示すブロック図
【図１０】本発明の実施の形態１の立体映像システムの明暗の程度が０の場合における、表示装置、照明装置および眼鏡装置間の同期動作を概略的に示す図
【図１１】本発明の実施の形態１の立体映像システムの明暗の程度が０以外の場合における、表示装置、照明装置および眼鏡装置間の他の同期動作を概略的に示す図
【図１２】（ａ）〜（ｄ）本発明の実施の形態１の立体映像システムの、明暗の程度が０の場合における明滅制御を概略的に示す図
【図１３】（ａ）〜（ｅ）本発明の実施の形態１の眼鏡装置の立体視補助動作のための制御を概略的に示す図
【図１４】（ａ）〜（ｄ）本発明の実施の形態１の立体映像システムの、明暗の程度が０以外の場合における明滅制御を概略的に示す図
【図１５】（ａ）〜（ｄ）本発明の実施の形態１の立体映像システムの、明暗の程度が０以外の場合における他の明滅制御を概略的に示す図
【図１６】（ａ）〜（ｃ）本発明の実施の形態１の立体映像システムにおける、空間Ｒの明るさの制御例を示す図
【図１７】（ａ）〜（ｃ）本発明の実施の形態１の立体映像システムにおける、他の空間Ｒの明るさの制御例を示す図
【図１８】本発明の実施の形態１の立体映像システムにおける光源の、他の明滅動作例を示す図
【図１９】本発明の実施の形態１の立体映像システムにおける、他の明滅制御例を示す図
【図２０】従来の立体映像システムで使用される眼鏡装置の構成配置図
【発明を実施するための形態】
【００２７】
以下、本発明の一実施形態に係る照明制御装置、照明装置、立体映像システム、照明制御方法等について図面を参照して説明する。なお、図面に示される構成、配置或いは形状等並びに図面に関連する記載は、単に本発明の原理を容易に理解させることを目的とするものであり、本発明を何ら限定するものではない。
【００２８】
（実施の形態１）
図１は、本発明の実施の形態１に係る立体映像システムを概略的に示す構成図である。
【００２９】
本実施の形態１の立体映像システムは、照明装置２Ａ、表示装置３Ａ、眼鏡装置４Ａおよびリモートコントローラー５Ａを含む。
【００３０】
図１に示される本実施の形態１の立体映像システムの照明装置２Ａには、照明制御装置２０Ａが組み込まれている。また、眼鏡装置４Ａは、立体映像システムの表示装置３Ａが表示する３次元映像の視聴を補助するために用いられる。
【００３１】
照明装置２Ａは、表示装置３Ａが配置された空間Ｒを照明する。図１に示される照明装置２Ａは、空間Ｒを形成する天井に取り付けられているが、側壁面や床面に取り付けられてもよい。
【００３２】
照明装置２Ａは、空間Ｒを照明する光源２１を含む。光源２１は、照明装置２Ａに組み込まれた照明制御装置２０Ａの制御下で、表示装置３Ａが表示する３次元映像のフレーム画像の切り換えに同期して点灯し、フレーム画像の表示に同期して消灯する。また、照明装置２Ａは、リモートコントローラー５Ａによっても制御され空間Ｒの照度をコントロールする。光源２１として、ＬＥＤ（Light Emitting Diode）が好適に用いられるが、表示装置３Ａのフレームレートに追従して明滅することができる他の発光素子が用いられてもよい。
【００３３】
表示装置３Ａは、３次元映像を表示する表示部として用いられる表示パネル３１を含む。表示パネル３１として、例えば、ＣＲＴディスプレイ、液晶ディスプレイ、ＰＤＰ（プラズマディスプレイパネル）、有機エレクトロルミネッセンスディスプレイや、映像を表示可能な他の装置が好適に使用される。表示パネル３１に表示される映像は、左眼で視認されるように撮像或いは描写された左眼フレーム画像と、右眼で視認されるように撮像或いは描写された右眼フレーム画像とを含む。本実施の形態１において、左眼フレーム画像および右眼フレーム画像は、表示パネル３１に交互に表示される。
【００３４】
眼鏡装置４Ａは、視聴者が左眼で左眼フレーム画像を視聴し、右眼で右眼フレーム画像を視聴するように立体視補助動作を実行する。この結果、視聴者は、表示パネル３１上に表示された映像を３次元的（立体的）に知覚することとなる。映像が立体的に知覚されるとき、左眼フレーム画像および右眼フレーム画像中のオブジェクト（左眼フレーム画像および右眼フレーム画像中に描かれた物体の像）は、表示パネル３１の平坦な面から飛び出たように或いは引っ込んだように知覚されることとなる。
【００３５】
眼鏡装置４Ａは、全体として、視力矯正用の眼鏡と同様の形状をなす。眼鏡装置４Ａは、眼鏡装置４Ａを着用した視聴者の左眼前に配置される左眼フィルタ４１と、右眼前に配置される右眼フィルタ４２とを含む光学フィルタ部４３を備える。
【００３６】
左眼フィルタ４１および右眼フィルタ４２は、視聴者の左眼および右眼へ透過する光の量を調整可能に形成される光学素子である。したがって、左眼フィルタ４１および右眼フィルタ４２として、視聴者の左眼および右眼へ透過する光路を開閉するシャッタ素子（例えば、液晶シャッタ）や、視聴者の左眼および右眼へ透過する光を偏光する偏光素子（例えば、液晶フィルタ）や、透過光量を調整可能な他の光学素子が好適に用いられる。
【００３７】
表示パネル３１に左眼フレーム画像が表示されているとき、光学フィルタ部４３は、左眼フィルタ４１を通じて左眼へ到達する光量を増大させる一方で、右眼フィルタ４２を通じて右眼へ到達する光量を減少させる。また、表示パネル３１に右眼フレーム画像が表示されているとき、光学フィルタ部４３は、右眼フィルタ４２を通じて右眼へ到達する光量を増大させる一方で、左眼フィルタ４１を通じて左眼へ到達する光量を減少させる。かくして、視聴者は、光学フィルタ部４３による上述の立体視補助動作を通じて、左眼で左眼フレーム画像を視聴し、右眼で右眼フレーム画像を視聴することができ、表示パネルに表示された３次元映像を、３次元的に知覚することができる。
【００３８】
なお、左眼フィルタ４１および右眼フィルタ４２を透過する光量を交互に増大および減少させる切り換えが、本発明の、左眼フィルタおよび右眼フィルタのそれぞれの光透過性の切り換えの一例にあたる。
【００３９】
リモートコントローラー５Ａには、空間Ｒの照度を明るくするボタン５５、暗くするボタン５６が設けられている。さらにリモートコントローラー５Ａには、空間Ｒの照度を一定に維持したまま、眼鏡装置４Ａを着用する視聴者が感じる空間Ｒの照度を明るく感じさせるボタン５１、および空間Ｒの照度を暗く感じさせるボタン５２が設けられている。
【００４０】
図１に示されるように、表示装置３Ａは、矩形状の表示パネル３１の周縁を取り囲むように形成された筐体３２の上縁上に、送信素子３３が配設される。送信素子３３は、表示パネル３１上での左眼フレーム画像ＦＬおよび右眼フレーム画像ＦＲの表示に同期する同期信号を送信する。送信素子３３として、例えば、ＲＦ送信機、赤外線発光素子、または同期信号を送信可能な他の任意の要素が好適に用いられる。
【００４１】
照明装置２Ａに組み込まれている照明制御装置２０Ａは受信素子２３を含んでおり、受信素子２３は、光源２１を支持するとともに空間Ｒの天井に取り付けられる筐体２２の外面に露出して配設されている。
【００４２】
受信素子２３は、表示装置３Ａの送信素子３３から送出される同期信号、および後述するリモートコントローラー５Ａの送信素子５３から送出される制御信号を受信する受信部として用いられる。
【００４３】
送信素子３３として、ＲＦ送信機が用いられるとき、受信素子２３として、ＲＦ受信機が好適に用いられる。送信素子３３として、赤外線発光素子が用いられるとき、受信素子２３として、赤外線受光素子が好適に用いられる。代替的に、送信素子３３が送信する同期信号を受信可能な任意の要素が、受信素子２３として用いられてもよい。
【００４４】
本実施の形態１において、同期信号は、左眼フレーム画像ＦＬおよび右眼フレーム画像ＦＲの切り換え表示のタイミング情報を、照明装置２Ａに組み込まれた照明制御装置２０Ａおよび眼鏡装置４Ａに伝達する信号として用いられる。また、本実施の形態１において、制御信号は、空間Ｒにおける視聴者の感じたいと所望する明暗の程度を照明装置２Ａに組み込まれた照明制御装置２０Ａに伝達する信号として用いられる。受信素子２３は、タイミング情報および制御信号の取得部として用いられる。
【００４５】
なお、表示装置３Ａの送信素子３３から送出される同期信号が、本発明の切り換え制御信号の一例にあたる。
【００４６】
眼鏡装置４Ａは、受信素子４４を含む。受信素子４４は、表示装置３Ａの送信素子３３から送出される同期信号を受信する受信部として用いられる。
【００４７】
送信素子３３として、ＲＦ送信機が用いられるとき、受信素子４４として、ＲＦ受信機が好適に用いられる。送信素子３３として、赤外線発光素子が用いられるとき、受信素子４４として、赤外線受光素子が好適に用いられる。代替的に、送信素子３３が送信する同期信号を受信可能な任意の要素が、受信素子４４として用いられてもよい。
【００４８】
本実施の形態１において、同期信号は、左眼フレーム画像ＦＬおよび右眼フレーム画像ＦＲの切り換え表示のタイミング情報を、眼鏡装置４Ａに伝達する信号として用いられる。受信素子４４は、タイミング情報を取得する取得部として用いられる。上述の３次元映像のフレーム画像ＦＬ、ＦＲの表示と光学フィルタ部４３の立体視補助動作との間の同期は、受信素子４４が送信素子３３から同期信号を受信することにより達成される。
【００４９】
リモートコントローラー５Ａは、空間Ｒの照度を明るく感じさせるボタン５１、空間Ｒの照度を暗く感じさせるボタン５２および送信素子５３を含む。
【００５０】
照明装置２Ａの受信素子２３として、ＲＦ受信機が用いられるとき、送信素子５３として、ＲＦ送信機が好適に用いられる。受信素子２３として、赤外線受光素子が用いられるとき、送信素子５３として、赤外線発光素子が好適に用いられる。
【００５１】
本実施の形態１において、送信素子５３から送出される制御信号は、視聴者がリモートコントローラー５Ａで設定する明暗の程度を照明装置２Ａに送信する信号として用いられる。空間Ｒの照度を明るく感じさせるボタン５１は視聴者が所望する明暗の程度を上げるボタンであり、空間Ｒの照度を暗く感じさせるボタン５２は明暗の程度を下げるボタンである、視聴者がボタン５１あるいはボタン５２を押したとき、押されたボタンに相当する制御信号が送信素子５３から送信される。
【００５２】
次に、本実施の形態１の立体映像システムの各装置の詳細な構成および動作について説明する。
【００５３】
図２は、表示装置３Ａの機能ブロック図であり、図３は、表示装置３Ａのハードウェア構成例を概略的に示すブロック図である。図１〜図３を用いて、本実施の形態１の表示装置３Ａが説明される。
【００５４】
図２に示すように、表示装置３Ａは、復号化部６１、映像信号処理部６２、送信制御部６３、表示パネル３１および同期信号送信部６４を備えている。
【００５５】
また、ハードウェア構成例として図３に示すように、表示装置３Ａは、復号化ＩＣ３４、映像信号処理ＩＣ３５、送信制御ＩＣ３６、ＣＰＵ３７、メモリ３８、クロック信号出力部３９、表示パネル３１および送信素子３３を備える。
【００５６】
ＣＰＵ３７は、例えば、メモリ３８に記録されたプログラムおよび外部からの入力（図示せず）に従って、表示装置３Ａを構成する構成部（例えば、復号化ＩＣ３４や映像信号処理ＩＣ３５）を制御する。この結果、ＣＰＵ３７は、表示装置３Ａ全体の制御を司ることとなる。
【００５７】
メモリ３８は、ＣＰＵ３７が実行するプログラムやプログラム実行時に発生する一時データを記録する領域として利用される。メモリ３８として、揮発性のＲＡＭ（Random Access Memory）や不揮発性のＲＯＭ（Read Only Memory）を利用することができる。
【００５８】
クロック信号出力部３９は、ＣＰＵ３７や他の構成部品へ各ＩＣ等の動作基準となるクロック信号を供給する。
【００５９】
ＣＰＵ３７がメモリ３８およびクロック信号出力部３９から供給されるクロック信号を用いて制御することにより、復号化ＩＣ３４、映像信号処理ＩＣ３５および送信制御ＩＣ３６によって、それぞれ、図２に示す復号化部６１、映像信号処理部６２および送信制御部６３の機能が実現され、また、送信素子３３によって図２に示す同期信号送信部６４の機能が実現される。
【００６０】
本実施の形態１において、再生装置５が、３次元映像のコンテンツデータを再生し、３次元映像の映像信号を表示装置３Ａに供給するが、インターネット、放送波や他の外部装置を通じて、３次元映像の映像信号が表示装置３Ａに供給されてもよい。
【００６１】
再生装置５は、コンテンツデータを再生し、符号化された映像信号やコンテンツデータのヘッダに含まれる情報（例えば、フレームレートや１フレーム画像当たりの表示時間に関する情報）を表示装置３Ａの復号化部６１に入力する。復号化部６１は、映像信号を復号化して映像データを所定の様式で出力する。映像の符号化には、ＭＰＥＧ（Motion Picture ExpertsGroup）−２、ＭＰＥＧ−４やＨ２６４等の方式がある。また、復号化部６１は、上述のコンテンツデータのヘッダに含まれる情報も併せて出力する。
【００６２】
映像信号処理部６２は、３次元映像の表示に関する信号処理を行う。映像信号処理部６２は、映像信号の処理を実行し、復号化部６１からの映像データを３次元映像として表示する。映像信号処理部６２は、復号化部６１で復号された映像データから左眼フレーム画像ＦＬと右眼フレーム画像ＦＲとを検出する。検出された左眼フレーム画像ＦＬおよび右眼フレーム画像ＦＲは、表示パネル３１に時間的に交互に表示される。
【００６３】
代替的に、復号化部６１が出力した映像データから左眼フレーム画像ＦＬと右眼フレーム画像ＦＲとが自動的に生成され、映像信号処理部６２が、生成された左眼フレーム画像ＦＬと右眼フレーム画像ＦＲとを表示パネル３１に交互に出力するようにしてもよい。
【００６４】
３次元映像の表示に関する信号処理を行なった後、映像信号処理部６２は、表示パネル３１の信号入力方式に適合した出力信号を生成する。
【００６５】
なお、映像信号処理部６２は、上記の処理以外の処理を実行してもよい。例えば、表示パネル３１の特性に応じて、表示する映像の色彩を調整する処理や復号化部６１で生成された映像データのフレーム間の映像を補間することにより、映像のフレームレートを上げる等の処理を、映像信号処理部６２がさらに実行するようにしてもよい。
【００６６】
映像信号処理部６２は、さらに、コンテンツデータのヘッダに含まれるフレームレートや１フレーム画像当たりの表示時間に関する情報や映像信号処理部６２によってなされた映像データに対する補間処理に基づき、表示パネル３１に表示される映像のフレームレートや表示パネル３１に表示される１フレーム画像ＦＬ、ＦＲ当たりの表示時間といった情報を送信制御部６３に出力してもよい。
【００６７】
送信制御部６３は、映像信号処理部６２が生成した左眼フレーム画像ＦＬおよび右眼フレーム画像ＦＲと同期する同期信号を生成する。その後、送信制御部６３は、生成した同期信号を同期信号送信部６４に出力する。
【００６８】
表示パネル３１には、映像信号処理部６２から出力された映像信号（左眼フレーム画像ＦＬおよび右眼フレーム画像ＦＲ）が表示される。眼鏡装置４Ａを着用した視聴者は、眼鏡装置４Ａの立体視補助動作を通じて、表示パネル３１に切り換え表示されるフレーム画像を３次元的に知覚することとなる。
【００６９】
同期信号送信部６４は、送信制御部６３による制御の下、同期信号を照明装置２Ａに組み込まれた照明制御装置２０Ａおよび眼鏡装置４Ａへ出力する。その同期信号に基づいて、照明装置２Ａの光源２１が明滅する。眼鏡装置４Ａは、その同期信号に基づいて、タイミング信号を生成し、生成されたタイミング信号に基づいて、光学フィルタ部４３の立体視補助動作を実行する。
【００７０】
図４は、照明装置２Ａの機能ブロック図であり、図５は、照明装置２Ａおよび照明装置２Ａに組み込まれた照明制御装置２０Ａのハードウェア構成例を概略的に示すブロック図である。図１、図４および図５を用いて、本実施の形態１の照明装置２Ａおよび照明装置２Ａに組み込まれた照明制御装置２０Ａが説明される。
【００７１】
図４に示すように、照明装置２Ａは、光源２１および照明制御装置２０Ａを備えており、照明制御装置２０Ａは、タイミング制御部６５、明暗調整部６６、同期信号受信部６７、制御信号受信部６８およびクロック信号出力部２６を備えている。
【００７２】
また、ハードウェア構成例として図５に示すように、照明装置２Ａは、光源２１および照明制御装置２０Ａを備え、照明制御装置２０Ａは、ＣＰＵ２４、メモリ２５、クロック信号出力部２６および受信素子２３を備えている。
【００７３】
ＣＰＵ２４は、照明装置２Ａ全体を制御する。ＣＰＵ２４は、例えば、メモリ２５に記録されたプログラム、表示装置３Ａの送信素子３３から送信される同期信号、およびリモートコントローラー５Ａの送信素子５３から送信される制御信号に従って、照明装置２Ａを制御する。以下に詳述される特定の実施の形態において、ＣＰＵ２４は、眼鏡装置４Ａやリモートコントローラー５Ａからの信号に従って、照明装置２Ａを制御する。
【００７４】
メモリ２５は、ＣＰＵ２４が実行するプログラムのデータの記録や、プログラム実行時の一時データを保持する場所として用いられる。メモリ２５はさらに、同期信号、制御信号に含まれる情報を格納してもよい。
【００７５】
クロック信号出力部２６は、照明装置２Ａを構成するＣＰＵ２４や他の要素へ、動作の基準となるクロック信号を供給する。クロック信号は、必要に応じて分周、逓倍したものであってもよい。
【００７６】
ＣＰＵ２４がメモリ２５およびクロック信号出力部２６から供給されるクロック信号を用いて制御することにより、ＣＰＵ２４によって、図４に示すタイミング制御部６５および明暗調整部６６の機能が実現され、また、受信素子２３によって、図４に示す同期信号受信部６７および制御信号受信部６８の機能が実現される。
【００７７】
同期信号受信部６７は、表示装置３Ａの同期信号送信部６４から送出された同期信号を受信し、制御信号受信部６８は、リモートコントローラー５Ａの制御信号送信部５８から送出された制御信号を受信する。
【００７８】
タイミング制御部６５は、同期信号受信部６７が受信した同期信号を元に、クロック信号出力部２６から供給されるクロック信号を用いて光源２１の明滅を制御するためのオン信号およびオフ信号を生成し、明暗調整部６６に入力する。
【００７９】
明暗調整部６６は、制御信号受信部６８が受信した制御信号で示される視聴者の感じる明暗の程度および光源の設定輝度に基づいて、クロック信号出力部２６から供給されるクロック信号を用いてタイミング制御部６５から入力されたオン信号およびオフ信号のタイミングを調整し、調整したオン信号およびオフ信号を光源２１に出力する。
【００８０】
光源２１は、明暗調整部６６から入力されるオン信号およびオフ信号に従い明滅し、表示装置３Ａが置かれた空間Ｒを照明する。
【００８１】
なお、タイミング制御部６５が、本発明の制御部の一例にあたり、明暗調整部６６が、本発明の調整部の一例にあたる。
【００８２】
図６は、眼鏡装置４Ａの機能ブロック図であり、図７は、眼鏡装置４Ａのハードウェア構成例を概略的に示すブロック図である。図１、図６および図７を用いて、本実施の形態１の眼鏡装置４Ａが説明される。
【００８３】
図６に示すように、眼鏡装置４Ａは、フィルタ制御部４８、クロック信号出力部４７、同期信号受信部４９および光学フィルタ部４３を備えている。
【００８４】
また、ハードウェア構成例として図７に示すように、眼鏡装置４Ａは、ＣＰＵ４５、メモリ４６、クロック信号出力部４７、受信素子４４および光学フィルタ部４３を備えている。
【００８５】
ＣＰＵ４５は、眼鏡装置４Ａ全体を制御する。ＣＰＵ４５は、メモリ４６に記録されたプログラムや表示装置３Ａの送信素子３３から送信される同期信号に従って、眼鏡装置４Ａを制御する。
【００８６】
メモリ４６は、ＣＰＵ４５が実行するプログラムのデータの記録やプログラム実行時の一時データを保持する場所として用いられる。
【００８７】
クロック信号出力部４７は、眼鏡装置４Ａを構成するＣＰＵ４５や他の要素へ、動作の基準となるクロック信号を供給する。クロック信号は、必要に応じて分周、逓倍したものであってもよい。
【００８８】
ＣＰＵ４５がメモリ４６およびクロック信号出力部４７から供給されるクロック信号を用いて制御することにより、ＣＰＵ４５によって、図６に示すフィルタ制御部４８の機能が実現され、また、受信素子４４によって、図６に示す同期信号受信部４９の機能が実現される。
【００８９】
同期信号受信部４９は、表示装置３Ａの同期信号送信部６４から送出された同期信号を受信する。
【００９０】
光学フィルタ部４３は、上述の如く、眼鏡装置４Ａを着用する視聴者の左眼前に配置される左眼フィルタ４１および右眼前に配置される右眼フィルタ４２を含む。光学フィルタ部４３の左眼フィルタ４１および右眼フィルタ４２は、フィルタ制御部４８によって透過する光量が制御され、立体視補助動作を行う。
【００９１】
フィルタ制御部４８は、表示装置３Ａが左眼フレーム画像ＦＬを表示している間、左眼フィルタ４１によって視聴者の左眼へ透過する光量を増大させる一方で、右眼フィルタ４２によって視聴者の右眼へ透過する光量を減少させるように制御する。またフィルタ制御部４８は、表示装置３Ａが右眼フレーム画像ＦＲを表示している間、右眼フィルタ４２によって視聴者の右眼へ透過する光量を増大させる一方で、左眼フィルタ４１によって視聴者の左眼へ透過する光量を減少させるように制御する。そして、フィルタ制御部４８は、左眼フレーム画像ＦＬと右眼フレーム画像ＦＲとの間の切り換えの間（即ち、表示装置３Ａの表示パネル３１がフレーム画像ＦＬ、ＦＲを表示していない間、またはフレーム画像ＦＬ、ＦＲが交雑して表示される間）、左眼フィルタ４１および右眼フィルタ４２はともに、視聴者の眼へ透過する光量を減少させる。かくして、視聴者は、表示装置３Ａの表示パネル３１に表示される３次元映像を３次元的に知覚することが可能となる。
【００９２】
図８は、リモートコントローラー５Ａの機能ブロック図であり、図９は、リモートコントローラー５Ａのハードウェア構成例を概略的に示すブロック図である。
【００９３】
図８に示すように、リモートコントローラー５Ａは、空間Ｒの照度を明るく感じさせるボタン５１、空間Ｒの照度を暗く感じさせるボタン５２、空間Ｒの照度を明るくするボタン５５、空間Ｒの照度を暗くするボタン５６、制御信号送信部５８および送信制御部５７を備えている。
【００９４】
また、ハードウェア構成例として図７に示すように、リモートコントローラー５Ａは、空間Ｒの照度を明るく感じさせるボタン５１、空間Ｒの照度を暗く感じさせるボタン５２、空間Ｒの照度を明るくするボタン５５、空間Ｒの照度を暗くするボタン５６、送信素子５３および送信制御ＩＣ５４を備えている。
【００９５】
図９の送信素子５３および送信制御ＩＣ５４によって、それぞれ、図８の制御信号送信部５８および送信制御部５７の機能が実現される。
【００９６】
ボタン５１が押されると、ボタン５１が押されたことを示す信号が送信制御部５７に出力される。同様に、ボタン５２が押されるとボタン５２が押されたことを示す信号が送信制御部５７に出力され、ボタン５５が押されるとボタン５５が押されたことを示す信号が送信制御部５７に出力され、ボタン５６が押されるとボタン５６が押されたことを示す信号が送信制御部５７に出力される。
【００９７】
送信制御部５７は、視聴者が感じたいと所望する空間Ｒの明暗の程度の情報を蓄積している。
【００９８】
例えば、明暗の程度を０から１の範囲（０のときに視聴者が最も暗く感じ、１のときに視聴者が最も明るく感じる）とした場合、送信制御部５７は、空間Ｒの照度を明るく感じさせるボタン５１が押されたことを示す信号が入力された際、明暗の程度を０．１上げ、空間Ｒの照度を暗く感じさせるボタン５２が押されたことを示す信号が入力された際、明暗の程度を０．１下げる。ただし送信制御部５７は、明暗の程度が１以上になる場合は１にし、０以下になる場合は０とする。さらに送信制御部５７は、明暗の程度が変化した場合、明暗の程度を含む制御信号を生成し、制御信号送信部５８に出力する。制御信号送信部５８は、入力された制御信号を、照明制御装置２０Ａの制御信号受信部６８へ送信する。
【００９９】
また、送信制御部５７は、照明装置２Ａの光源２１に設定する輝度の情報も蓄積している。
【０１００】
例えば、光源２１に設定する輝度を０から１の範囲（０のときに消灯させ、１のときに最高輝度で点灯させる）とした場合、送信制御部５７は、空間Ｒの照度を明るくするボタン５５が押されたことを示す信号が入力された際、光源２１に設定する輝度を０．１上げ、空間Ｒの照度を暗くするボタン５６が押されたことを示す信号が入力された際、光源２１に設定する輝度を０．１下げる。ただし送信制御部５７は、光源２１に設定する輝度が１以上になる場合は１にし、０以下になる場合は０とする。さらに送信制御部５７は、光源２１に設定する輝度が変化した場合、光源２１に設定する輝度を含む制御信号を生成し、制御信号送信部５８に出力する。制御信号送信部５８は、入力された制御信号を、照明制御装置２０Ａの制御信号受信部６８へ送信する。
【０１０１】
次に、本実施の形態１の立体映像システムの照明装置２Ａによって照明させる際の、各装置の動作について説明する。
【０１０２】
まず、視聴者が視聴時の照明の影響を最低にする（視聴者の感じる明暗の程度を０にする）場合について説明する。
【０１０３】
図１０は、明暗の程度が０の場合の、表示装置３Ａ、照明装置２Ａおよび眼鏡装置４Ａ間における同期動作を概略的に示している。図１０と併せて、図１および図６を参照しつつ、表示装置３Ａ、照明装置２Ａおよび眼鏡装置４Ａの動作の相互関係が説明される。
【０１０４】
表示装置３Ａの表示パネル３１は、左眼フレーム画像ＦＬと右眼フレーム画像ＦＲを交互に表示する。以下の説明において、左眼フレーム画像ＦＬのみまたは右眼フレーム画像ＦＲのみが表示されている期間は、便宜的に、それぞれＦＬ表示期間およびＦＲ表示期間と称し、またＦＬ表示期間とＦＲ表示期間を合わせて表示期間と称する。左眼フレーム画像ＦＬと右眼フレーム画像ＦＲとが切り換えられる間は、フレーム画像ＦＬ、ＦＲが表示されない、あるいは左眼フレーム画像ＦＬと右眼フレーム画像ＦＲが交雑して表示される期間であり、非表示期間と称する。
【０１０５】
また、照明装置２Ａの光源２１が点灯している期間を点灯期間と称し、消灯している期間を消灯期間と称する。
【０１０６】
図１０において左眼フレーム画像ＦＬまたは右眼フレーム画像ＦＲが表示パネル３１に表示されている間、すなわち表示期間において、照明装置２Ａの光源２１は消灯されている。左眼フレーム画像ＦＬと右眼フレーム画像ＦＲとが切り換えられる非表示期間では、光源２１は点灯される。つまり、この場合には、照明装置２Ａの消灯期間は表示装置３Ａの表示期間と一致しており、照明装置２Ａの点灯期間は表示装置３Ａの非表示期間と一致している。
【０１０７】
眼鏡装置４Ａのフィルタ制御部４８は、ＦＬ表示期間では、左眼フィルタ４１を通じて左眼へ到達する光量を増大させる一方で、右眼フィルタ４２を通じて右眼へ到達する光量を減少させるように光学フィルタ部４３を制御する。また、フィルタ制御部４８は、ＦＲ表示期間では、右眼フィルタ４２を通じて右眼へ到達する光量を増大させる一方で、左眼フィルタ４１を通じて左眼へ到達する光量を減少させるように光学フィルタ部４３を制御する。
【０１０８】
また、フィルタ制御部４８は、左眼フィルタ４１を透過する光量を増大させるとともに右眼フィルタ４２を透過する光量を減少させる切り換え時、および右眼フィルタ４２を透過する光量を増大させるとともに左眼フィルタ４１を透過する光量を減少させる切り換え時に、左眼フィルタ４１および右眼フィルタ４２を透過する光量をともに減少させる期間が生じるように制御する。
【０１０９】
この左眼フィルタ４１および右眼フィルタ４２を透過する光量をともに減少させる期間を暗期間と称し、左眼フィルタ４１および右眼フィルタ４２のいずれかを透過する光量を増大させている、暗期間以外の期間を明期間と称する。
【０１１０】
なお、暗期間には、左眼フィルタ４１および右眼フィルタ４２が全く光を透過させない場合に限るものではなく、左眼フィルタ４１および右眼フィルタ４２の光透過性がともに所定値よりも低ければよい。
【０１１１】
図１０において左眼フレーム画像ＦＬまたは右眼フレーム画像ＦＲが表示パネル３１に表示されている間、すなわち表示期間に、左眼フィルタ４１および右眼フィルタ４２のいずれかを透過する光量が増大するように制御され、左眼フレーム画像ＦＬと右眼フレーム画像ＦＲとが切り換えられる非表示期間では、左眼フィルタ４１および右眼フィルタ４２を透過する光量をともに減少させるように制御される。つまり、この場合には、眼鏡装置４Ａの明期間は表示装置３Ａの表示期間と一致しており、眼鏡装置４Ａの暗期間は表示装置３Ａの非表示期間と一致している。
【０１１２】
したがって、右眼フィルタ４２および左眼フィルタ４１を透過する光量をともに減少させるときに、光源２１が点灯し、そうでないときに消灯することになる。このように制御することにより、視聴者の左眼に到達する左眼フレーム画像ＦＬおよび右眼に到達する右眼フレーム画像ＦＲを維持しつつ、視聴者への光源２１の照明の影響を最小限にする。
【０１１３】
図１２（ａ）〜（ｄ）は、図１０に示した明暗の程度が０の場合における、照明制御装置２０Ａが行う光源２１に対する明滅制御を概略的に説明する図である。
【０１１４】
図１２（ａ）は、表示パネル３１の輝度の変化を示す。図１２（ｂ）は、同期信号受信部６７が受信する信号を示す。図１２（ｃ）は、明暗調整部６６が生成するオン信号およびオフ信号を示す。図１２（ｄ）は、光源２１の輝度の変化を示す。図１２と併せて、図１、図２、図４および図１０を参照しつつ、光源２１に対する明滅制御が説明される。
【０１１５】
本実施の形態１において、表示装置３Ａの送信制御部６３は、左眼フレーム画像ＦＬの表示の開始時間ｔ１に同期するタイミング７１、右眼フレーム画像ＦＲの表示の開始時間ｔ３に同期するタイミング７３、左眼フレーム画像ＦＬの表示の終了時間ｔ２に同期するタイミング７２および左眼フレーム画像ＦＲの表示の終了時間ｔ４に同期するタイミング７４を生成し、タイミング７１、タイミング７２、タイミング７３およびタイミング７４から構成される同期信号を生成し、その同期信号を同期信号送信部６４に出力し、同期信号送信部６４はその同期信号を送信する。
【０１１６】
照明装置２Ａに組み込まれている照明制御装置２０Ａの同期信号受信部６７は、その同期信号を受信する。
【０１１７】
照明制御装置２０Ａのタイミング制御部６５は、その同期信号に含まれるタイミング７１、タイミング７２、タイミング７３およびタイミング７４を抽出する。ここでタイミング７１およびタイミング７３を抽出した時間をｔｒ、タイミング７２およびタイミング７４を抽出した時間をｔｓとする。
【０１１８】
ついで明暗調整部６６は、タイミング制御部６５によって抽出されたｔｓおよびｔｒから、オン信号７５およびオフ信号７６を生成する。
【０１１９】
明暗調整部６６は、制御信号受信部６８がリモートコントローラー５Ａから受信した制御信号に含まれる明暗の程度および光源の設定輝度の情報に基づいて、オン信号７５およびオフ信号７６を生成する。この場合は、制御信号に明暗の程度＝０の情報が含まれているものとする。
【０１２０】
明暗の程度が０の場合、光源２１を点灯するオン信号７５のタイミングｔｎは、タイミング７２あるいはタイミング７４を抽出したタイミングすなわちｔｓであり、光源２１を消灯するオフ信号７６のタイミングｔｆは、タイミング７２あるいはタイミング７４を抽出したタイミングすなわちｔｒである。
【０１２１】
そして光源２１は、明暗調整部６６によって生成されたオン信号７５およびオフ信号７６に従って点灯および消灯する。
【０１２２】
図１３（ａ）〜（ｅ）は、眼鏡装置４Ａにおける光学フィルタ部４３の立体視補助動作のための制御を概略的に説明する図である。
【０１２３】
図１３（ａ）は、表示パネル３１の輝度の変化を示す。図１３（ｂ）は、眼鏡装置４Ａの同期信号受信部４９が受信する信号を示す。図１３（ｃ）は、フィルタ制御部４８が生成する、光学フィルタ部４３に立体視補助動作をさせるためのタイミング信号を示す。図１３（ｄ）は、左眼フィルタ４１を透過し、視聴者の左眼へ到達する光量の変動を示す。図１３（ｅ）は、右眼フィルタ４２を透過し、視聴者の右眼へ到達する光量の変動を示す。図１３と併せて、図１、図６および図１０を参照しつつ、光学フィルタ部４３の立体視補助動作のための制御が説明される。
【０１２４】
表示装置３Ａから受信する同期信号は、図１３（ｂ）に示すように、左眼フレーム画像ＦＬの表示の開始時間ｔ１に同期するタイミング７１、右眼フレーム画像ＦＲの表示の開始時間ｔ３に同期するタイミング７３、左眼フレーム画像ＦＬの表示の終了時間ｔ２に同期するタイミング７２および左眼フレーム画像ＦＲの表示の終了時間ｔ４に同期するタイミング７４を含む。
【０１２５】
眼鏡装置４Ａの同期信号受信部４９は、同期信号を受信し、フィルタ制御部４８に送信する。フィルタ制御部４８は、受信した同期信号から、時間ｔ１、ｔ２、ｔ３およびｔ４を再生する。そして、フィルタ制御部４８は、時間ｔ１に左眼へ透過する光量を増大させるオン信号７７を、時間ｔ２に左眼へ透過する光量を減少させるオフ信号７８を、時間ｔ３に右眼へ透過する光量を増大させるオン信号７９を、時間ｔ４に右眼へ透過する光量を減少させるオフ信号８０を生成し、光学フィルタ部４３に出力する。
【０１２６】
光学フィルタ部４３は、オン信号７７が入力されたタイミングで、左眼へ透過する光量を増大させ、オフ信号７８が入力されたタイミングで、左眼へ透過する光量を減少させ、オン信号７９が入力されたタイミングで、右眼へ透過する光量を増大させ、オフ信号８０が入力されたタイミングで、右眼へ透過する光量を減少させる。
【０１２７】
図１２および図１３に関連して説明された一連の動作を通じて、図１０に関連して説明された表示パネル３１中のフレーム画像ＦＬ、ＦＲの表示および切り換え、光源２１および光学フィルタ部４３の間の同期が達成される。
【０１２８】
このように、光源２１は、照明制御装置２０Ａの制御下で、表示パネル３１に表示される３次元映像のフレーム画像ＦＬ、ＦＲの切り換え表示に同期して、明滅を繰り返す。この結果、光源２１は、表示パネル３１に表示されるフレーム画像ＦＬ、ＦＲを視聴している間、３次元映像の視聴者に対して暗い環境を空間Ｒに作り出し、左眼フレーム画像ＦＬと右眼フレーム画像ＦＲとの間での切り換えが生じている間、３次元映像の視聴者に対して明るい環境を空間Ｒに作り出すこととなる。
【０１２９】
かくして、視聴者に対して、３次元映像を視聴するのに好適な環境が提供されると同時に、３次元映像を視聴していない同じ部屋に居る他の者にとっては、３次元映像の視聴以外の他の行動を行なうのに十分な明るい環境が提供されることとなる。
【０１３０】
なお、上述の如く、光源２１として、例えば、ＬＥＤが好適に使用される。
【０１３１】
一般に、映像を視聴される周囲環境は、視聴者にとっては映画館のように暗い方が好ましいが、映像を視聴していない同じ部屋に居る他の者にとっては好ましいものではない。例えば、読書をしたい使用者にとっては、暗い空間は不都合である。
【０１３２】
本実施の形態１の立体映像システムは、３次元映像を視聴する視聴者に対して好適な照明環境を与えるとともに、同じ部屋に居る他の者に対しても好適な照明環境を与えることができるので、このような不都合を解消することができる。
【０１３３】
さらに、視聴者が視聴時の空間Ｒの照度を一定に保ったまま、視聴者の感じる照度を上げる場合について以下に説明する。
【０１３４】
図１１は、明暗の程度を０より大きくした場合の、表示装置３Ａ、照明装置２Ａおよび眼鏡装置４Ａ間における同期動作を概略的に示している。
【０１３５】
図１１において、左眼フレーム画像ＦＬが表示されているＦＬ表示期間から左眼フレーム画像ＦＬと右眼フレーム画像ＦＲとが切り換えられる非表示期間になったとき、少し遅れて照明装置２Ａの光源２１が点灯される。次に右眼フレーム画像ＦＲが表示されるＦＲ表示期間になった後、少し遅れて光源２１が消灯される。同様に、ついで非表示期間になったとき、少し遅れて照明装置２Ａの光源２１が点灯され、ついで左眼フレーム画像ＦＬが表示されるＦＬ表示期間になった後、少し遅れて照明装置２Ａの光源２１が消灯される。
【０１３６】
眼鏡装置４Ａの明期間および暗記間は、それぞれ表示装置３Ａの表示期間および非表示期間と一致しているので、このように制御することで、右眼フィルタ４２を透過する光量が増大した後（暗期間中）も光源２１が点灯している期間があり、視聴者は空間Ｒを少し明るく感じる。左眼フィルタ４１についても同様である。
【０１３７】
このように制御することによって、光源２１の点灯する時間を維持したまま、すなわち空間Ｒの照度を変更することなく、視聴者が感じる明るさを明るくすることができる。視聴者が感じる明るさは、左眼フィルタ４１および右眼フィルタ４２の光透過性の切り換えタイミングと、光源２１の点灯および消灯タイミングとのずれの大きさに応じて調整することが可能である。
【０１３８】
図１４（ａ）〜（ｄ）は、図１１に示した明暗の程度が０より大きい場合の照明制御装置２０Ａが行う光源２１に対する明滅制御を概略的に説明する図である。
【０１３９】
図１４（ａ）は、表示パネル３１の輝度の変化を示す。図１４（ｂ）は、同期信号受信部６７が受信する信号を示す。図１４（ｃ）は、明暗調整部６６が生成するオン信号およびオフ信号を示す。図１２（ｄ）は、光源２１の輝度の変化を示す。図１４と併せて、図１、図４および図１１を参照しつつ、光源２１に対する明滅制御が説明される。ここで図１４（ａ）および（ｂ）は、それぞれ図１２（ａ）および（ｂ）と同じである。
【０１４０】
照明制御装置２０Ａの制御信号受信部６８がリモートコントローラー５Ａから受信した制御信号は、明暗調整部６６で解析され、明暗の程度が抽出される。ここでは、明暗の程度Ｄ（明暗の程度Ｄは、最大の明るさを１、最小の明るさを０とした数値とする）が抽出されるものとする。
【０１４１】
明暗調整部６６は、明暗の程度Ｄが０でない場合、オン信号７５のタイミングｔｎおよびオフ信号７６のタイミングｔｆを（数１）にしたがって算出する。
（数１）
ｔｎ＝ｔｓ＋δ
ｔｆ＝ｔｒ＋δ
δ＝Ｄ＊（ｔｒ−ｔｓ）
（数１）において、（ｔｒ−ｔｓ）は光源２１が点灯する期間であり、明暗の程度によって変化しない値である。
【０１４２】
明暗の程度Ｄが０でない場合には、図１４に示すように、オン信号７５のタイミングｔｎおよびオフ信号７６のタイミングｔｆは、明暗の程度Ｄが０の場合（図１２に示す場合）を基準として、それぞれδ遅れるように明暗調整部６６によって調整される。
【０１４３】
したがって、明暗の程度Ｄの値が大きいほどδの値は大きくなり、表示装置３Ａにおける表示期間内に含まれる光源２１が点灯している点灯期間が長くなる。表示装置３Ａの表示期間および非表示期間は、それぞれ眼鏡装置４Ａの明期間および暗記間と一致しているので、明暗の程度Ｄの値が大きいほど、眼鏡装置４Ａの明期間に含まれる光源２１が点灯している点灯期間が長くなり、視聴者は、空間Ｒの照度をより明るく感じるようになる。
【０１４４】
図１４の場合、明暗の程度Ｄ＝１のときにδの値は最も大きくなり（δ＝ｔｒ−ｔｓ）、この場合には、光源２１の点灯期間が全て眼鏡装置４Ａの明期間内に含まれ、このときに視聴者は、空間Ｒの照度を最も明るく感じることになる。
【０１４５】
なお、図１４では、明暗の程度Ｄが０の場合を基準として、光源２１を明滅させるためのオン信号７５のタイミングｔｎおよびオフ信号７６のタイミングｔｆを遅らせることにより、視聴者の感じる明暗の程度を調整する例について説明したが、これらのタイミングを、明暗の程度Ｄが０の場合を基準として早めるように調整してもよい。
【０１４６】
図１５（ａ）〜（ｄ）は、図１１に示した明暗の程度が０より大きい場合の照明制御装置２０Ａが行う光源２１に対する明滅制御を、オン信号７５のタイミングｔｎおよびオフ信号７６のタイミングｔｆを早めることにより実現する場合を概略的に説明する図である。
【０１４７】
図１５（ａ）および（ｂ）は、それぞれ図１４（ａ）および（ｂ）と同じであり、図１５（ｃ）および（ｄ）に示すタイミングが、それぞれ図１４（ｃ）および（ｄ）に示すタイミングと異なる。
【０１４８】
図１５に示す例の場合、照明制御装置２０Ａの明暗調整部６６は、明暗の程度Ｄが０でない場合には、（数１）にしたがってδの値を算出し、オン信号７５のタイミングｔｎおよびオフ信号７６のタイミングｔｆを、明暗の程度Ｄが０の場合（図１２に示す場合）を基準として、それぞれδ早くなるように調整する。
【０１４９】
この場合にも、図１４の場合と同様に、表示装置３Ａの表示期間のうちδの期間、すなわち眼鏡装置４Ａの明期間のうちδの期間、光源２１が点灯している状態となるので、δの値の大きさにしたがって、視聴者は空間Ｒの照度を明るく感じることになる。
【０１５０】
なお、図１４および図１５の説明は、本発明の「光源を点灯またはより明るくする期間を暗期間以外の期間側に所定量ずらすように調整する」場合の一例であり、眼鏡装置４Ａにおける明期間が、本発明の「暗期間以外の期間」の一例にあたり、δが、本発明の所定量の一例にあたる。
【０１５１】
３次元映像を視聴する視聴者にとって、基本的に表示装置が置かれた空間が暗いことが望ましいが、場合によっては明るくしたほうが良い場合もある。本実施の形態１の立体映像システムでは、このような場合に、同じ部屋内の視聴していない他の者の感じる明るさを変えることなく、視聴者にとっての明るさを独立に変えることができる。
【０１５２】
次に、リモートコントローラー５Ａによって、空間Ｒの明るさを変更する場合の動作について説明する。
【０１５３】
図１６（ａ）〜（ｃ）は、空間Ｒの明るさの制御例を説明する図であり、光源に対する異なる設定輝度に対する、各光源２１の輝度の変化を示している。
【０１５４】
図１６（ｃ）は、図１６（ａ）よりも光源の設定輝度を低く指定した場合を示し、図１６（ｂ）は、光源の設定輝度を最も明るくなるように指定した場合を示している。
【０１５５】
図１６（ａ）〜（ｃ）では、いずれも視聴者が感じる明暗の程度は最低に設定されているものとし、光源の設定輝度のみが異なるものとしている。
【０１５６】
照明制御装置２０Ａの明暗調整部６６は、制御信号受信部６８がリモートコントローラー５Ａから受信した制御信号から、光源の設定輝度の情報を抽出し、抽出した光源の設定輝度の値に応じて、光源２１の輝度を調整する。
【０１５７】
例えば、光源２１としてＬＥＤを用いる場合、光源の設定輝度の値に応じて、光源２１の電流を変化させることにより光源２１の輝度を調整することができる。また、光源２１を複数のＬＥＤで構成し、光源の設定輝度の値に応じて、点灯させるＬＥＤの個数を変化させるようにしても光源２１の輝度を調整できる。
【０１５８】
光源２１の輝度を、図１６（ａ）〜（ｃ）のように光源２１に対するオン信号およびオフ信号のタイミングｔｎ、ｔｆを同じにしたまま光源の輝度のみを変化させることにより、３次元映像の視聴者が感じる空間Ｒの明るさを変化させずに、空間Ｒの明るさを変化させることができる。すなわち、視聴者に影響を与えずに、同じ部屋に居る他の者が光源２１の明るさを変化させることができる。
【０１５９】
図１６では、オン信号およびオフ信号のタイミングｔｎ、ｔｆを変化させずに光源の輝度を変化させることにより空間Ｒの明るさを変化させる例について説明したが、光源の輝度を変化させずにオン信号およびオフ信号のタイミングｔｎ、ｔｆを変化させて、空間Ｒの明るさを変化させるようにしてもよい。
【０１６０】
図１７（ａ）〜（ｃ）は、オン信号およびオフ信号のタイミングを変化させて空間Ｒの明るさを制御する例を説明する図であり、光源に対する異なる設定輝度に対する、各光源２１の輝度の変化を示している。
【０１６１】
図１７（ｂ）は、図１７（ａ）よりも光源の設定輝度を高く指定した場合、図１７（ｃ）は、図１７（ａ）よりも光源の設定輝度を低く指定した場合をそれぞれ示している。
【０１６２】
図１７（ａ）〜（ｃ）では、いずれも視聴者が感じる明暗の程度は最低に設定されているものとし、光源の設定輝度のみが異なるものとしている。
【０１６３】
照明制御装置２０Ａの明暗調整部６６が、リモートコントローラー５Ａから受信した制御信号から抽出した光源の設定輝度の値に応じて光源２１の輝度を調整する際の、光源２１に対する制御方法が、図１６の場合と異なる。
【０１６４】
図１７（ａ）は、視聴者が感じる明暗の程度が最低の場合で、空間Ｒの明るさを最も明るくした場合を示している。図１７（ａ）よりもさらに明るくする光源の設定輝度が指定された場合、明暗調整部６６は、図１７（ｂ）に示すように、光源２１の点灯期間が長くなるようにオン信号およびオフ信号のタイミングｔｎ、ｔｆを変化させる。
【０１６５】
この場合、視聴者の感じる空間Ｒの明るさが少し明るくなるが、同じ部屋に居る他の者にとって、さらに空間Ｒの明るさを明るくすることができる。
【０１６６】
図１７（ａ）よりも暗くする光源の設定輝度が指定された場合、明暗調整部６６は、光源２１の点灯期間が短くなるようにオン信号およびオフ信号のタイミングｔｎ、ｔｆを変化させる。
【０１６７】
図１７（ｃ）に示すように、眼鏡装置４Ａの暗期間内に含まれるようにしたまま、オン信号およびオフ信号のタイミングｔｎ、ｔｆを変化させることにより、視聴者に影響を与えずに、同じ部屋に居る他の者が光源２１を暗く変化させることができる。
【０１６８】
なお、本実施の形態１では、光源２１として例えばＬＥＤを用いることとし、光源２１のオンオフ時の輝度の変化が瞬時に行なわれる例について説明したが、オンオフ時に輝度が徐々に変化するような光源を用いても、本発明を適用できる。
【０１６９】
図１８は、オンオフ時に輝度が徐々に変化する光源を用いた場合の光源の輝度の変化を示している。
【０１７０】
このようにオンオフ時に徐々に輝度が変化するものであっても、表示装置３Ａのフレームレートに追従して明滅することができる発光素子であれば、本発明の光源として用いることができる。
【０１７１】
また、本実施の形態１では、表示装置３Ａの１つの表示期間およびそれに続く非表示期間で構成される１サイクルの間に、すなわち、眼鏡装置４Ａの１つの明期間およびそれに続く暗記間で構成される１サイクルの間に、光源の点灯および消灯がそれぞれ１回行なわれる例について説明したが、これらの１サイクルの期間に光源の点灯および消灯が複数回行なわれるように制御してもよい。
【０１７２】
図１９は、眼鏡装置４Ａの明期間およびそれに続く暗記間で構成される１サイクルの間に光源の点灯および消灯が２回行なわれるようにした場合の光源の輝度の変化を示している。
【０１７３】
この場合には、眼鏡装置４Ａの明期間およびそれに続く暗記間のそれぞれの期間内に、光源が点灯している期間を含むようにしている。
【０１７４】
また、本実施の形態１では、視聴者の感じる明暗の程度を照明制御装置２０Ａに入力するために、リモートコントローラー５Ａを用いることとしたが、視聴者の感じる明暗の程度を照明制御装置２０Ａに入力できれば、その他の方法であってもよい。例えば、視聴者の感じる明暗の程度を設定するためのスイッチを、照明装置２Ａに配線によって接続するようにしたり、照明装置２Ａ本体に設けるようにしてもよい。
【０１７５】
また、本実施の形態１では、照明制御装置２０Ａは、表示装置３Ａから眼鏡装置４Ａに送信される同期信号を、光源２１を制御するための情報として利用し、制御している。したがって、表示装置３Ａおよび眼鏡装置４Ａで構成される既存の立体映像システムに対して、照明装置２Ａまたは照明制御装置２０Ａを追加するのみで、本発明の立体映像システムを構成することができる。
【０１７６】
また、本実施の形態１では、本発明の切り換え制御信号としての同期信号を、照明制御装置２０Ａが、表示装置３Ａから取得することとして説明したが、眼鏡装置４Ａから切り換え制御信号を取得するようにしてもよい。本発明の照明制御装置は、光源の点灯および消灯タイミングを、眼鏡装置４Ａの明期間および暗記間に応じて制御できれば、照明制御装置が表示装置３Ａからの切り換え制御信号に応じることなく、本発明を実現できる。
【０１７７】
また、本実施の形態１では、明るく発光させる際に光源２１を点灯し、暗くする際に光源２１を消灯することとして説明したが、明るく発光する状態と暗く発光する状態を切り換えられる光源を用い、上記の点灯状態に代えて明るく発光させ、上記の消灯状態に代えて暗く発光させるようにしてもよい。
【０１７８】
なお、本発明のプログラムは、上述した照明制御方法の、前記表示装置または前記眼鏡装置の切り換え制御信号に基づいて、前記光源を制御する前記照明制御ステップの動作をコンピュータにより実行させるためのプログラムであって、コンピュータと協働して動作するプログラムである。
【０１７９】
また、本発明のプログラム記録媒体は、上述した照明制御方法の、前記表示装置または前記眼鏡装置の切り換え制御信号に基づいて、前記光源を制御する前記照明制御ステップの動作をコンピュータにより実行させるためのプログラムを記録したプログラム記録媒体であり、コンピュータにより読み取り可能かつ、読み取られた前記プログラムが前記コンピュータと協働して利用されるプログラム記録媒体である。
【０１８０】
また、本発明のプログラムの一利用形態は、コンピュータにより読み取り可能な、ＲＯＭ等の記録媒体に記録され、コンピュータと協働して動作する態様であっても良い。
【０１８１】
また、本発明のプログラムの一利用形態は、インターネット等の伝送媒体、光・電波等の伝送媒体中を伝送し、コンピュータにより読みとられ、コンピュータと協働して動作する態様であっても良い。
【０１８２】
また、上述した本発明のコンピュータは、ＣＰＵ等の純然たるハードウェアに限らず、ファームウェアや、ＯＳ、さらに周辺機器を含むものであっても良い。
【０１８３】
なお、以上説明した様に、本発明の構成は、ソフトウェア的に実現しても良いし、ハードウェア的に実現しても良い。
【産業上の利用可能性】
【０１８４】
本発明に係る照明制御装置、照明装置、立体映像システムおよび照明制御方法等は、表示装置が置かれている空間の照明環境とは別に３次元映像を視聴する視聴者が感じる照明環境を制御できる効果を有し、３次元映像を視聴する環境で利用される照明制御装置、照明装置、立体映像システムおよび照明制御方法等として有用である。
【符号の説明】
【０１８５】
２Ａ  照明装置
３Ａ  表示装置
４Ａ  眼鏡装置
５  再生装置
５Ａ  リモートコントローラー
２０Ａ  照明制御装置
２１  光源
２２  筐体
２３  受信素子
２４  ＣＰＵ
２５  メモリ
２６  クロック信号出力部
３１  表示パネル
３２  筐体
３３  送信素子
３４  復号化ＩＣ
３５  映像信号処理ＩＣ
３６  送信制御ＩＣ
３７  ＣＰＵ
３８  メモリ
３９  クロック信号出力部
４１  左眼フィルタ
４２  右眼フィルタ
４３  光学フィルタ部
４４  受信素子
４５  ＣＰＵ
４６  メモリ
４７  クロック信号出力部
４８  フィルタ制御部
４９  同期信号受信部
５１  空間Ｒの照度を明るく感じさせるボタン
５２  空間Ｒの照度を暗く感じさせるボタン
５３  送信素子
５４  送信制御ＩＣ
５５  空間Ｒの照度を明るくするボタン
５６  空間Ｒの照度を暗くするボタン
５７  送信制御部
５８  制御信号送信部
６１  復号化部
６２  映像信号処理部
６３  送信制御部
６４  同期信号送信部
６５  タイミング制御部
６６  明暗調整部
６７  同期信号受信部
６８  制御信号受信部
７１、７２、７３、７４  タイミング
７５  オン信号
７６  オフ信号
７７  オン信号
７８  オフ信号
７９  オン信号
８０  オフ信号
【図１】
2012164466.tif 000003
【図２】
2012164466.tif 000004
【図３】
2012164466.tif 000005
【図４】
2012164466.tif 000006
【図５】
2012164466.tif 000007
【図６】
2012164466.tif 000008
【図７】
2012164466.tif 000009
【図８】
2012164466.tif 000010
【図９】
2012164466.tif 000011
【図１０】
2012164466.tif 000012
【図１１】
2012164466.tif 000013
【図１２】
2012164466.tif 000014
【図１３】
2012164466.tif 000015
【図１４】
2012164466.tif 000016
【図１５】
2012164466.tif 000017
【図１６】
2012164466.tif 000018
【図１７】
2012164466.tif 000019
【図１８】
2012164466.tif 000020
【図１９】
2012164466.tif 000021
【図２０】
2012164466.tif 000022